(57)【特許請求の範囲】
【請求項１】
ドアの開閉を行うための把手部と、該把手部の一端部に設けられ該把手部をドア面に固定する取付基部とを備えたレバーハンドルにおいて、
該把手部は、長手方向に巻回し状に形成された皮革部と、該皮革部の前後に位置する剛性の縁部を有するものであり、
該皮革部は、テープ状の皮革を一周巻きしたものであることを特徴とするレバーハンドル。
【請求項２】
該把手部の裏面には、巻回された皮革の端を留める留め板を有することを特徴とする請求項１記載のレバーハンドル。
【請求項３】
該剛性の縁部の上面は、該皮革部の上面と面一か又は該皮革部の上面より僅かに上方にあることを特徴とする請求項１又は２記載のレバーハンドル。
【請求項４】
該把手部は、前後面の高さ寸法より広い幅寸法の上下面を有することを特徴とする請求項１〜３のいずれか１項記載のレバーハンドル。
【請求項５】
該把手部の側面視形状が、横長であることを特徴とする請求項１〜４のいずれか１項に記載のレバーハンドル。
【請求項６】
該把手部の上下面は略平面であることを特徴とする請求項１〜５のいずれか１項に記載のレバーハンドル。
【請求項７】
該皮革部の皮革は、牛皮であることを特徴とする請求項１〜６のいずれか１項に記載のレバーハンドル。
【請求項８】
該皮革部以外の部位は、金属製であることを特徴とする請求項１〜７のいずれか１項に記載のレバーハンドル。
【発明の詳細な説明】
【技術分野】
【０００１】
本発明は、開き戸の開閉を行うための把手部を有するレバーハンドルに関するものである。
【背景技術】
【０００２】
従来から、開き戸の開閉操作を容易に行えるようにするために、ドア用把手をドアに設置することが行われている。この種のドア用把手としては、例えば、ドアを開閉する際に握られる把手部と、把手部の両端に形成された取付基部とを備えるものが提案されている（特開平１０−１２１７９２号公報）。また、一端側がその前後方向を回転軸方向としてドアに回動自在に設置された把手部を回動操作することによってラッチボルトの解錠が行えるレバーハンドル（登録実用新案第３０１４１４０号公報）が知られている。また、ドアに回動自在に設置された円筒状の把手部を回動操作することによってラッチボルトの解錠が行えるドアノブ（特開２００１−３４９１０６号公報）が提案されている。この中、レバーハンドルは、回転操作が容易で、意匠性にも優れることから、主に住宅の部屋用ドアに多用されている。
【０００３】
近年、レバーハンドルの差別化から、種々のものが提案されている。意匠登録１４１５７７４号公報には、長手方向に部分巻き回しされた色付き装飾シートを貼付したものが開示されている。また、把手部に皮革を巻いたレバーハンドルも知られている。意匠登録１４１５７７４号公報のレバーハンドルは、色付き装飾シートが正面に表われており、意匠性に優れる。また、皮革を巻いたレバーハンドルは、独特の外観を呈すると共に、柔らかい感触を付与するため、高級感を求める購買層の需要を惹起する。
【先行技術文献】
【特許文献】
【０００４】
【特許文献１】特開平１０−１２１７９２号公報
【特許文献２】登録実用新案第３０１４１４０号公報
【特許文献３】特開２００１−３４９１０６号公報
【特許文献４】意匠登録１４１５７７４号公報
【発明の開示】
【発明が解決しようとする課題】
【０００５】
しかしながら、色付き装飾シートが貼付されたレバーハンドルは、皮革ほどの優れた意匠性を発現できない。また、把手した際の感触は従来のものと同様であり、操作性に改善が認められない。皮革を巻いたレバーハンドルは、把手部全体が皮革であるため、把手の際、金属製ほどの操作力を付与できないという問題がある。また、把手した力が全て皮革に掛るため、皮革に手汗や手垢が付き易くなり、更に、皮革が擦り切れ易いという問題がある。
【０００６】
従って、本発明の目的は、従来の金属製のレバーハンドルと同様の強い操作性を付与することができ、把手の際、硬い感触と柔らかい感触を同時に与えることができ、皮革に手汗や手垢が付き難く、皮革が擦り切れ難いレバーハンドルを提供することにある。
【課題を解決するための手段】
【０００７】
かかる実情において、本発明者は鋭意検討を行った結果、従来の把手部全体が皮革部であったもの（所謂「全体縦巻き」）を、「部分的横巻き」とすれば、従来の金属製のレバーハンドルと同様の強い操作性を付与することができ、把手の際、硬い感触と柔らかい感触を同時に与えることができ、皮革に手汗や手垢が付き難く、皮革が擦り切れ難くなるということを見出し、本発明を完成するに至った。
【０００８】
すなわち、本発明は、ドアの開閉を行うための把手部と、該把手部の一端部に設けられ該把手部をドア面に固定する取付基部とを備えたレバーハンドルにおいて、該把手部は、長手方向に巻回し状に形成された皮革部と、該皮革部の前後に位置する剛性の縁部を有するレバーハンドルを提供するものである。
【発明の効果】
【０００９】
本発明によれば、従来の金属製のレバーハンドルと同様の強い操作性を付与することができ、把手の際、硬い感触と柔らかい感触を同時に与えることができ、皮革に手汗や手垢が付き難く、皮革が擦り切れ難い。
【図面の簡単な説明】
【００１０】
【図１】本発明の第１の実施の形態におけるレバーハンドルの斜視図である。
【図２】本発明の第１の実施の形態におけるレバーハンドルの他の斜視図である。
【図３】図１のレバーハンドルの正面図である。
【図４】図１のレバーハンドルの平面図である。
【図５】図１のレバーハンドルの底面図である。
【図６】図１のレバーハンドルの背面図である。
【図７】図１のレバーハンドルの左側面図である。
【図８】図１のレバーハンドルの右側面図である。
【図９】皮革の取付方法を説明する図である。
【図１０】皮革の取付方法を説明する他の図である。
【図１１】（Ａ）は図１０のレバーハンドルの把手部の断面図であり、（Ｂ）は図２のレバーハンドルの把手部の断面図であり、（Ｃ）は（Ａ）の部分拡大断面図であり、（Ｄ）は（Ｂ）の部分拡大断面図である。
【図１２】図１のレバーハンドルを握った状態における平面図である。
【図１３】図１のレバーハンドルを握った状態における右側面図である。
【図１４】（Ａ）は本発明の第２の実施の形態におけるレバーハンドルの平面図であり、（Ｂ）は（Ａ）を左側から見た図である。
【図１５】本発明の第３の実施の形態における平面図である。
【図１６】本発明の第４の実施の形態における平面図である。
【図１７】本発明の第５の実施の形態における平面図である。
【図１８】（Ａ）は第６の実施の形態における平面図であり、（Ｂ）は正面図である。
【図１９】従来のレバーハンドルを握った状態における平面図である。
【図２０】従来のレバーハンドルを握った状態における右側面図である。
【発明を実施するための形態】
【００１１】
次に、本発明の第１の実施の形態におけるレバーハンドルを図１〜図１３を参照して説明する。レバーハンドル１０は、ドアの開閉を行うための把手部１と、把手部１の一端部に設けられ把手部１をドア面に固定する取付基部２とを備え、把手部１は、長手方向に巻回し状に形成された皮革部３と、皮革部３の前後に位置する剛性の縁部４ａ、４ｂを有する。レバーハンドル１０におけるエッジの全ては面取りがされている。これにより手の怪我を防止する。なお、本明細書中、「正面」及び「前後」は、レバーハンドルをドア面に取り付けた状態における位置を言う。また、レバーハンドル１０は、図４に示すように、符号Ｘで示す長手方向と符号Ｙで示す短手方向を有する。また、図中、「＃」は皮革部であることを示すマークである。また、把手部１は、符号ｚ１とｚ２を含むものであり、符号ｚ１は実質的な把手部分である。
【００１２】
レバーハンドル１０は、皮革部３以外の部位は、例えば、金属等の剛性材料であり、通常は表面がメッキ処理された金属である。把手部１は、ドアに取り付けた状態において、水平姿勢であり、前方から後方に向けて、剛性の前方縁部４ａ、皮革部３及び剛性の後方縁部４ｂの各部位が配列している。レバーハンドル１０において、把手部１の側面視は横長の扁平形状、本例では矩形の扁平形状である。なお、本発明のレバーハンドルの把手部を構成する上下面は、平面あるいは湾曲する面のいずれであってもよいが、本例では、略平面である。「略平面」の「略」は、上下面における前方縁部４ａ、後方縁部４ｂと皮革部３の間の極僅かの段差を許容する意味であり、下面（裏面）における前方縁部４ａ、後方縁部４ｂと留め板５の間の極僅かな段差及び皮革部３と留め板５の間の極僅かな段差を許容する意味である。
【００１３】
レバーハンドル１０において、前方縁部４ａ及び後方縁部４ｂ（前後面）の高さ寸法（ｈ）より上下面の幅寸法（ｗ）の方が大である。（ｈ）は８〜１２ｍｍが好ましく、特に９〜１１ｍｍが好ましい。また、（ｗ）は２０〜２８ｍｍが好ましく、特に２２〜２６ｍｍが好ましい。また、（ｈ）：（ｗ）は１：２．０〜２．８が好ましく、特に１：２．２〜２．６が好ましい。レバーハンドル１０は、把手部１の形状が側面視で横長の扁平形状であるため、握り易く、また、把手力が強く作用する前方縁部４ａ及び後方縁部４ｂ（前後の縁部）が剛性部材であるため、従来の強い握りを実現できる。
【００１４】
また、把手部１は、把手部１の背面（後方側）であって長手方向中央から取付基部２に向けて幅広となる平面視がアーチ形状７となっている。すなわち、後方縁部４ｂの幅寸法が取付基部２に近づくにつれて、幅広となっている。アーチ状の幅広部７を形成することで、取付基部２と把手部１の固定が安定し、且つ握り易くなる。このアーチ状の幅広部７は任意の構成要素である。
【００１５】
レバーハンドル１０において、把手部１の皮革部３は、テープ状の皮革を一周巻きしたものである（図９参照）。従って、上面、下面及び両側面に皮革部３が大きく表われる。皮革部３は、全周に亘って一定の幅寸法であっても、異なる幅寸法であってもよいが、本例のように、全周に亘って一定の幅寸法のものが、皮革の製作が容易となる点で好ましい。
【００１６】
皮革部３は、把手部１の幅方向（ｗ）において、好ましくは７０〜８５％、特に好ましくは７５〜８２％を占める。把手部１の幅方向（ｗ）における前方縁部４ａ、皮革部３及び後方縁部４ｂの比（ｗ２）：（ｗ１）：（ｗ３）は、１：８〜１２：１が好ましく、１：１０：１が特に好ましい。皮革部３の前後側に前方縁部４ａ及び後方縁部４ｂを設けることで、把手の際、手の腹及び指の中間部位がこれら剛性部位に当たるため、従来の強い把手力を付与できる。また、把手部１の６面中、前後２面を除く４面の大部分が皮革部３となるため、把手の際、指先の腹に皮革部３が当たるため、柔らかい感触を付与できる。このように、レバーハンドル１０は従来にはない独特の把手感触を体感できるため、高級感を付与し需要を惹起する。
【００１７】
レバーハンドル１０において、皮革部３は、把手部１の長手方向において、テープ状の皮革を実質的に一周巻きしたものが好ましく、一部に皮革を固定する部材があってもよい。本例のレバーハンドル１０は、把手部１の裏面に、具体的には、把手部１の裏面であって、取付基部２の前方延長線上に、巻回された皮革の端を留める留め板６を有する。これにより、把手部１を握った際、手や指が留め板５に触れることはなく、皮革部３に触れることになる。留め板５は螺子止めされている。レバーハンドル本体部１１の長手方向に一周巻かれた皮革の両端部は、留め板５の裏側に潜り込ませ留め板５で押えつけているため、皮革を強く固定できる。なお、レバーハンドル本体部１１と皮革の間には、両者を接着する接着剤を介在させることが、更に強く固定できる点で好ましい。
【００１８】
レバーハンドル１０において、剛性の前方縁部４ａ及び後方縁部４ｂの上面は、皮革部３の上面と面一か又は皮革部３の上面より僅かに上方にある。これにより、皮革部３の端面が隠れるため剥がれ難くなる。また、留め板５の上面は、皮革部３の上面と略面一となっており、且つ剛性の前方縁部４ａ及び後方縁部４ｂの上面と面一か又は僅かに下方にある。これにより、留め板５は突出部が無く、例え、留め板５近傍に指先が触れても、違和感を感じさせることがない。
【００１９】
皮革部３の皮革は、特に制限されないが、カーススキン、キップスキン、カウ・ハイド、ステア・ハイド、ブル・ハイド等の牛革が好ましく、特にしぼ加工されている牛革のものが、皮独特の感触と高級感を付与できる点で好ましい。皮革の色は、特に制限されず、黒、濃茶、薄茶、黄色、グレー、白色等種々の色が適宜選択される。皮革は市販品を使用すればよい。
【００２０】
取付基部２は、取付基部本体２１と取付基部本体２１の底面からドア面側に突出する係合部２２とを有する。係合部２２の突出方向は、前後方向、すなわち、レバーハンドル１０の短手方向である。係合部２２は、ドア内に没入する部分であり、係合部２２の内壁には、例えば、角芯が嵌り且つ固定する突起が形成されている（不図示）。取付基部２は、周知の構造のものでよい。
【００２１】
次に、レバーハンドル１０の皮革部３の形成方法について、図９〜図１１を参照して説明する。レバーハンドル１０は、レバーハンドル本体部１１の溝部１２に、テープ状の皮革３ａを取り付けることで得られる。レバーハンドル本体部１１は直方体物に対し、長手方向に１周、幅広の溝部１２を形成したものである。また、把手部１ａの下面で、且つ取付基部２側には、更に深い溝部１３が形成されている。深い溝部１３は、留め板５が収容される空間である。また、深い溝部１３の中心には、螺子孔１５が形成され、更に深い溝部１３の中央には、短手方向（前後方向）に延びる浅い縦溝１４が形成されている。縦溝１４には、留め板５の裏面に形成される突起５１が嵌る。これにより、留め板５の位置決めが容易となる。溝部１２の溝深さは、皮革３ａの厚みかあるいは皮革３ａの厚みより僅かに大であり、溝部１２の溝幅は、皮革部３の幅ｗ１と同じである。
【００２２】
テープ状の皮革３ａは、幅がｗ１であり、長さは溝部１２にテープ状の皮革３ａを貼り付けた際、両端が螺子孔１５に架からない程度に、十分長い長さである。これにより、留め板５で押えられる皮革の長さを十分採れ確実に固定できると共に、螺子止めの障害とならない。なお、溝部１２に、テープ状の皮革３ａを貼る際、公知の接着剤を使用することが、テープ状の皮革３ａの固定が強固となる点で好ましい。また、テープ状の皮革３ａの厚さは、０．６〜１．１ｍｍ程度が好ましく、特に０．７〜１．０ｍｍが好ましい。皮革３ａの厚さが厚過ぎると、把手の際の柔らかい感触は向上するものの、製作費用がアップする。一方、薄過ぎると、把手の際の柔らかい感触が低下する傾向となる。テープ状の皮革３ａの巻き回数は１周に制限されず、２周巻き以上であってもよい。また、溝部１２とテープ状の皮革３ａの間に、クッション材等を介在させてもよい。
【００２３】
レバーハンドル本体部１１の溝部１２に、テープ状の皮革３ａを貼り付けた後（図１１（Ａ）及び（Ｃ））、深い溝部１３に留め板５を取り付ける。この際、縦溝１４に、留め板５の裏面の突起５１が嵌るようにする。これにより、留め板５の位置が決まる。なお、留め板５の螺子孔５２周りには、螺子頭６１が収容される螺子頭収容部５３が形成されている。次いで、螺子６で留め板５を螺子止めする。螺子６は頭が平坦な平螺子がよい。螺子止めにより、テープ状の皮革３ａはレバーハンドル本体部１１に強く固定される。また、皮革３ａの上面は、前方縁部４ａ及び後方縁部４ｂの上面と同一か、又はそれより僅かに下方の位置となる。これにより、長年に亘って、皮革３ａがレバーハンドル本体部１１から剥がれ難くなる。また、留め板５上面及び螺子６の上面は、前方縁部４ａ及び後方縁部４ｂの上面と同一か、又はそれより僅かに下方の位置となる。これにより、留め板５が存在するにも拘わらず、裏面全体が見かけ、平面となり、把手の際、違和感がなくなる。
【００２４】
次に、レバーハンドル１０の使用方法について、図１２及び図１３を参照して説明する。レバーハンドル１０は、ドア面Ａに取り付けられる。この際、把手部３は、水平姿勢を採ると共に、幅が広い面が上下面となり、幅（高さ）が狭い面が前後面となる。すなわち、剛性の前方縁部４ａ、皮革部３及び剛性の後方縁部４ｂは、前方から後方に向けて順次配列することになる（図１２）。レバーハンドル１０は、把手部１が手Ｂで握られて、下方に少し回動される。これにより、ラッチボルトがドア内に没入する。そこで、ドアを押すか引くことで、ドアが開く。
【００２５】
レバーハンドル１０を手で握る際、手の腹（手のひら）ｘと指の中間部位にある腹ｙ（指の関節間の部位）が、把手部１の角部に当たる。これら角部は、剛性部位であるため、従来の強い把手力を付与できる。一方、指先の腹ｚは把手部１の裏面の皮革部３に当たるため、柔らかい感触を付与できる。図１９及び図２０に示すように、従来のレバーハンドル１００は、所謂「全体縦巻き」と称されるもので、把手部全体が皮革であるため、把手の際、金属製ほどの操作力を付与できない。また、把手した力が全て皮革に掛るため、皮革に手汗や手垢が付き易くなり、更に、皮革が擦り切れ易いという問題がある。これに対して、本発明のレバーハンドル１０は、把手の際、硬い感触と柔らかい感触を同時に与えることができ、皮革に手汗や手垢が付き難く、皮革が擦り切れ難い。また、従来にはない独特の把手感触を付与できるため、高級感を付与し需要を惹起する。なお、図１９及び図２０のレバーハンドル１００は、金属製のレバーハンドル本体部１０１に皮革１０３を縦巻きにしたものであり、皮革の両端は、裏面で留めることになる（不図示）。このため、レバーハンドル１００が本発明のような留め板を使用したとしても、把手の際、指先の腹は、留め板に触れることになり、違和感を与えることは避けられない。これに対して、本発明のレバーハンドル１０は、把手の際、指先の腹が触れるのは皮革部３であり、皮革の独特の感触を楽しめる。
【００２６】
次に、本発明の第２の実施の形態におけるレバーハンドル１０Ａを図１４を参照して説明する。図１４のレバーハンドル１０Ａにおいて、図１のレバーハンドル１０と同一構成要素には同一符号を付して、その説明を省略し、異なる点について主に説明する。すなわち、レバーハンドル１０Ａにおいて、図１のレバーハンドル１０と異なる点は、把手部１の外観形状である。すなわち、レバーハンドル１０Ａの把手部１Ａは、平面視において、両端から中央に向けて漸次幅広となるような、緩やかなアーチ状となったものである。この場合、皮革部３は図１のレバーハンドル１０と同じ形状であり、前後の縁部の形状が異なったものである。レバーハンドル１０Ａにおいても、レバーハンドル１０と同様の作用効果を奏する。
【００２７】
次に、本発明の第３の実施の形態におけるレバーハンドル１０Ｂを図１５を参照して説明する。なお、図１５の左側面図は、図１４（Ｂ）と同じであるため、省略する。図１５のレバーハンドル１０Ｂにおいて、図１のレバーハンドル１０と同一構成要素には同一符号を付して、その説明を省略し、異なる点について主に説明する。すなわち、レバーハンドル１０Ｂにおいて、図１のレバーハンドル１０と異なる点は、把手部１の外観形状である。すなわち、レバーハンドル１０Ｂの把手部１Ｂは、平面視において、緩やかな凹凸の繰り返しの波形状である。この場合、皮革部３は図１のレバーハンドル１０と同じ形状であり、前後の縁部の形状が異なったものである。レバーハンドル１０Ｂにおいても、レバーハンドル１０と同様の作用効果を奏する。
【００２８】
次に、本発明の第４の実施の形態におけるレバーハンドル１０Ｃを図１６を参照して説明する。なお、図１６の把手部１Ｃの左側面視は、矩形状である（不図示）。図１６のレバーハンドル１０Ｃにおいて、図１のレバーハンドル１０と同一構成要素には同一符号を付して、その説明を省略し、異なる点について主に説明する。すなわち、レバーハンドル１０Ｃにおいて、図１のレバーハンドル１０と異なる点は、把手部１の外観形状である。すなわち、レバーハンドル１０Ｃの把手部１Ｃは、平面視において、中央から端部側に向けて、漸次幅広となるような、緩やかなアーチ状である。この場合、皮革部３は図１のレバーハンドル１０と同じ形状であり、前後の縁部の形状が異なったものである。レバーハンドル１０Ｃにおいても、レバーハンドル１０と同様の作用効果を奏する。
【００２９】
次に、本発明の第５の実施の形態におけるレバーハンドル１０Ｄを図１７を参照して説明する。なお、図１７の把手部１Ｄの左側面視は、矩形状である。図１７のレバーハンドル１０Ｄにおいて、図１のレバーハンドル１０と同一構成要素には同一符号を付して、その説明を省略し、異なる点について主に説明する。すなわち、レバーハンドル１０Ｄにおいて、図１のレバーハンドル１０と異なる点は、把手部１の外観形状である。すなわち、レバーハンドル１０Ｄの把手部１Ｄは、平面視において、後方縁部４ｂが、中央から端部側に向けて、漸次幅広となるような、緩やかなアーチ状となったものである。この場合、皮革部３は図１のレバーハンドル１０と同じ形状であり、前後の縁部の形状が異なったものである。レバーハンドル１０Ｄにおいても、レバーハンドル１０と同様の作用効果を奏する。
【００３０】
次に、本発明の第６の実施の形態におけるレバーハンドル１０Ｅを図１８を参照して説明する。図１８のレバーハンドル１０Ｅにおいて、図１のレバーハンドル１０と同一構成要素には同一符号を付して、その説明を省略し、異なる点について主に説明する。すなわち、レバーハンドル１０Ｅにおいて、図１のレバーハンドル１０と異なる点は、把手部１の外観形状である。すなわち、レバーハンドル１０Ｅの把手部１Ｅは、両端から中央に向けて漸次幅広となるような、緩やかなアーチ状となったものである。この場合、上下面における皮革部３は、正面視において、緩やかな凸状面を形成する。レバーハンドル１０Ｅにおいても、レバーハンドル１０と同様の作用効果を奏する。また、レバーハンドル１０Ｅにおいて、正面視において、両端は直線状のものに限定されず、例えば、外側に凸状の曲線であってもよい。すなわち、把手部１Ｅの正面視形状が楕円形状のものであってもよい。
【００３１】
本発明のレバーハンドルは、上記実施の形態例に制限されず、種々の変形を採ることができる。皮革部３の皮革形状としては、平面視において、例えば、波形、アーチ形、ジグザク形など種々の形状が適宜決定される。また、皮革の固定方法である留め板５は省略することができる。すなわち、皮革の固定は接着剤のみであってもよい。
【産業上の利用可能性】
【００３２】
本発明のレバーハンドルは、独特の把手感触を付与できるため、高級感があり、需要を惹起する。
【符号の説明】
【００３３】
１    把手部
２    取付基部
３    皮革部
４ａ  前方縁部
４ｂ  後方縁部
１０、１０Ａ〜１０Ｅ、１００    レバーハンドル
Ａ    ドア
Ｂ    人の手
【図１】
0006006949.tif 000002
【図２】
0006006949.tif 000003
【図３】
0006006949.tif 000004
【図４】
0006006949.tif 000005
【図５】
0006006949.tif 000006
【図６】
0006006949.tif 000007
【図７】
0006006949.tif 000008
【図８】
0006006949.tif 000009
【図９】
0006006949.tif 000010
【図１０】
0006006949.tif 000011
【図１１】
0006006949.tif 000012
【図１２】
0006006949.tif 000013
【図１３】
0006006949.tif 000014
【図１４】
0006006949.tif 000015
【図１５】
0006006949.tif 000016
【図１６】
0006006949.tif 000017
【図１７】
0006006949.tif 000018
【図１８】
0006006949.tif 000019
【図１９】
0006006949.tif 000020
【図２０】
0006006949.tif 000021